(57)【要約】  【課題】ゲルマニウムにより遠赤外線が放射され、突起により足の底のツボが刺激され、ユーザの健康を向上可能であり、且つ着用時の歩行の安定性が向上する。  【解決手段】靴本体（１０）と、靴敷きシート（２０）と、を含み、靴敷きシート（２０）は、靴本体（１０）に組み付けられ、その上面に複数の突起（２１）が設けてあり、突起（２１）の上面に複数の粒状の按摩凸部（２２）が分布して設けてあるゲルマニウム施療効果付き按摩靴において、少なくとも一つの突起（２１）の内部には、人体のツボに対してエネルギーを放出するゲルマニウムが設けてあり、且つユーザの踵に対応する突起（２１）の表面が徐々に高くなるように傾斜する形態を呈する。【選択図】図２
0003140442.tif 000002
【実用新案登録請求の範囲】
【請求項１】
靴本体（１０）と、靴敷きシート（２０）と、を含み、前記靴敷きシート（２０）は、前記靴本体（１０）に組み付けられ、その上面に複数の突起（２１）が設けてあり、前記突起（２１）の上面に複数の粒状の按摩凸部（２２）が分布して設けてあるゲルマニウム施療効果付き按摩靴において、
少なくとも一つの前記突起（２１）の内部には、人体のツボに対してエネルギーを放出するゲルマニウムが設けてあり、且つユーザの踵に対応する突起（２１）の表面が徐々に高くなるように傾斜する形態を呈することを特徴とする、
ゲルマニウム施療効果付き按摩靴。
【請求項２】
前記靴本体（１０）の上部に窪み空間（１１）が設けてあり、前記窪み空間（１１）により前記靴本体（１０）の上部の周囲に周縁（１２）が形成され、前記窪み空間（１１）と前記周縁（１２）とから靴底上面（１３）が構成されることを特徴とする、請求項１に記載のゲルマニウム施療効果付き按摩靴。
【請求項３】
前記靴本体（１０）および前記靴敷きシート（２０）は高分子材で作製されたものであることを特徴とする、請求項１に記載のゲルマニウム施療効果付き按摩靴。
【考案の詳細な説明】
【技術分野】
【０００１】
本考案は、靴に係り、特に、按摩効果および施療効果を持つゲルマニウム施療効果付き按摩靴に関するものである。
【背景技術】
【０００２】
西洋医学の観点から見れば、足の底には72000本程度の神経束があり、72000本程度の神経束が６３個のセクション（足底按摩のセクション）に分けられ、これらは人体の全身の器官の神経の伝送点であり、各反射セクションは、更に小さい反射点に分けられ、器官が退化し、又は病気になった場合には、当該神経を刺激するとアドレナリンが放出されて当該器官を補修する効果がある。
【０００３】
そこで、公園などの公共施設には、多数の突起が設けてある床面が建設してあり、ユーザが裸足でこのような床面を歩くと、ユーザの足の底にある反射セクションが刺激され、血行が良くなり、このとき、水分を充分に補充すると、人体の代謝が促進され、これにより、ユーザの健康を向上する効果を有する。更に、足底按摩ショップに行って按摩師により足の底の按摩を受ける人も少数ではない。
【０００４】
しかしながら、現代の人々の生活が極めて忙しいので、一日の労働の後、体が極めて疲労しているため、足底按摩ショップや公園などに行く余裕が殆どなく、そこで、按摩効果を有する靴が市販するようになり、このような靴を履いて歩くと、ユーザの足の底が刺激され、按摩効果を達成することができる。
【考案の開示】
【考案が解決しようとする課題】
【０００５】
本考案の主な目的は、ゲルマニウムにより遠赤外線が放射され、突起により足の底のツボが刺激され、ユーザの健康を向上可能なゲルマニウム施療効果付き按摩靴を提供することにある。
【０００６】
本考案の次の目的は、着用時の歩行の安定性が向上するゲルマニウム施療効果付き按摩靴を提供することにある。
【課題を解決するための手段】
【０００７】
上記目的を達成するためになされた本考案は、靴本体と、靴敷きシートと、を含み、前記靴敷きシートは、前記靴本体に組み付けられ、その上面に複数の突起が設けてあり、前記突起の上面に複数の粒状の按摩凸部が分布して設けてあるゲルマニウム施療効果付き按摩靴において、少なくとも一つの前記突起の内部には、人体のツボに対してエネルギーを放出するゲルマニウムが設けてあり、且つユーザの踵に対応する突起の表面が徐々に高くなるように傾斜する形態を呈することを特徴とするゲルマニウム施療効果付き按摩靴であることを要旨としている。
【０００８】
本考案では、前記靴本体の上部に窪み空間が設けてあり、前記窪み空間により前記靴本体の上部の周囲に周縁が形成され、前記窪み空間と前記周縁とから靴底上面が構成されることを特徴とする請求項１に記載のゲルマニウム施療効果付き按摩靴であることを要旨としている。
【０００９】
本考案では、前記靴本体および前記靴敷きシートは高分子材で作製されたものであることを特徴とする請求項１に記載のゲルマニウム施療効果付き按摩靴であることを要旨としている。
【考案の効果】
【００１０】
本考案のゲルマニウム施療効果付き按摩靴によれば、次のような効果がある。
（１）ゲルマニウムにより遠赤外線が放射され、突起により足の底のツボが刺激され、ユーザの健康を向上可能である。
【００１１】
（２）着用時の歩行の安定性が向上する。
【考案を実施するための最良の形態】
【００１２】
以下、添付図面を参照して本考案の好適な実施の形態を詳細に説明する。
【００１３】
まず、図１乃至図３を参照する。本考案のゲルマニウム施療効果付き按摩靴は、靴本体１０と、靴敷きシート２０と、を含む。
【００１４】
靴本体１０は、高分子材（例えばゴムなど）で作製されたものであり、その上部に窪み空間１１が設けてあり、窪み空間１１により靴本体１０の上部の周囲に周縁１２が形成され、窪み空間１１と周縁１２とから靴底上面１３が構成される。
【００１５】
靴敷きシート２０は、高分子材（例えばゴムなど）で作製されたものであり、粘着材などによって靴本体１０の窪み空間１１内に組み付けられ、且つ靴本体１０の窪み空間１１に粘着された靴敷きシート２０が靴本体１０の周縁１２に囲まれる。靴敷きシート２０の上面に複数の突起２１が設けてあり、突起２１の上面に複数の粒状の按摩凸部２２が分布して設けてあり、少なくとも一つの突起２１の内部には、人体のツボに対してエネルギーを放出するゲルマニウムが設けてある。
【００１６】
このような構成によれば、ユーザが本考案のゲルマニウム施療効果付き按摩靴を着用すると、足の底が各突起２１の按摩凸部２２に刺激され、且つ各突起２１が人体の複数の重要なツボに対応するので、突起２１内に設けられたゲルマニウムから放出されるエネルギーは重要なツボに伝送可能であり、ゲルマニウムから放出されるイオンは、人体の内部のイオンと中和可能であり、生物の電流を調整可能であり、体内の電子のバランスを平衡可能であり、免疫系統を活発化可能であり、痛みを緩和可能であり、電磁波を防止可能であるので、ユーザの体の調子を更に良くすることができる。
【００１７】
また、図４（ａ）及び図４（ｂ）に示すように、ユーザの踵に対応する突起２１の表面が徐々に高くなるように傾斜する形態を呈し、より詳細には、踵部の突起２１の上面が周縁１２に向かうに従って高くなるように傾斜している。これにより、ユーザの踵が支持され、着用時の歩行の安定性が向上する効果を有する。
【００１８】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１９】
【図１】本考案の実施例の分解斜視図である。
【図２】本考案の実施例の組立状態の斜視図である。
【図３】本考案の実施例の断面図である。
【図４】（ａ）本考案の実施例の一部の拡大図である。  （ｂ）図４（ａ）における４Ｂ−４Ｂ線の断面図である。
【符号の説明】
【００２０】
１０      靴本体
１１      窪み空間
１２      周縁
１３      靴底上面
２０      靴敷きシート
２１      突起
２２      按摩凸部
【図１】
0003140442.tif 000003
【図２】
0003140442.tif 000004
【図３】
0003140442.tif 000005
【図４】
0003140442.tif 000006